(57)【要約】【課題】  被写体を適正な露出で撮影できる調光可能距離を容易に把握できるカメラシステムおよび閃光装置を提供する。【解決手段】  撮像レンズ、絞り、シャッタ手段および撮像部を有する撮影機構と、前記撮影機構の各部を制御し、必要発光量、前記絞りの絞り値、前記シャッタ手段のシャッタ全開時間および撮像部感度情報を取得するカメラ制御部と、前記撮影機構による撮影時に閃光発光を行う閃光発光部と、前記必要発光量の到達時または前記シャッタ全開時間に対応する発光許容時間のいずれかで、前記閃光発光部の発光停止を行う発光制御部と、前記発光許容時間での発光停止による有効発光量の上限値を演算する有効発光量演算手段と、前記シャッタ全開時間により変化する前記有効発光量の上限値、前記絞り値、前記撮像部感度情報に基づいて、前記閃光発光部での露光が適正に実行される調光可能距離を演算する調光可能距離演算手段と、前記調光可能距離を表示する表示部と、を備えたことを特徴とするカメラシステム。【選択図】      図１
2005148227.tif 000002
【特許請求の範囲】
【請求項１】
撮像レンズ、絞り、シャッタ手段および撮像部を有する撮影機構と、
前記撮影機構の各部を制御し、必要発光量、前記絞りの絞り値、前記シャッタ手段のシャッタ全開時間および撮像部感度情報を取得するカメラ制御部と、
前記撮影機構による撮影時に閃光発光を行う閃光発光部と、
前記必要発光量の到達時または前記シャッタ全開時間に対応する発光許容時間のいずれかで、前記閃光発光部の発光停止を行う発光制御部と、
前記発光許容時間での発光停止による有効発光量の上限値を演算する有効発光量演算手段と、
前記シャッタ全開時間により変化する前記有効発光量の上限値、前記絞り値、前記撮像部感度情報に基づいて、前記閃光発光部での露光が適正に実行される調光可能距離を演算する調光可能距離演算手段と、
前記調光可能距離を表示する表示部と、を備えたことを特徴とするカメラシステム。
【請求項２】
前記撮像部が被写体像を光電変換する撮像素子であり、前記シャッタ手段が電子シャッターであることを特徴とする請求項１に記載のカメラシステム。
【請求項３】
前記シャッタ手段がフォーカルプレーンシャッタであり、
前記カメラ制御部は、前記シャッタ手段のシャッタ秒時情報およびシャッタ幕走行時間情報をさらに取得することを特徴とする請求項１に記載のカメラシステム。
【請求項４】
請求項２または請求項３に記載のカメラシステムにおいて、前記カメラシステムは、カメラと、前記カメラに取り付け可能な閃光装置とを有し、
前記カメラは、前記撮影機構と、前記カメラ制御部と、前記必要発光量、前記絞り値、前記シャッタ全開時間および前記撮像部感度情報を前記閃光装置に転送する通信部とを備え、
前記閃光装置は、前記通信部から発信された前記絞り値、前記シャッタ全開時間および前記撮像部感度情報を受信する受信部と、前記閃光発光部と、前記発光制御部と、前記有効発光量演算手段と、前記調光可能距離演算手段と、前記表示部と、を備えたことを特徴とするカメラシステム。
【請求項５】
請求項３に記載のカメラシステムにおいて、前記カメラシステムは、カメラと、前記カメラに取り付け可能な閃光装置とを有し、
前記カメラは、前記撮影機構と、前記カメラ制御部と、前記必要発光量、前記絞り値、前記シャッタ秒時情報、前記シャッタ幕走行時間情報および前記撮像部感度情報を前記閃光装置に転送する通信部とを備え、
前記閃光装置は、前記通信部から発信された前記シャッタ秒時情報、前記シャッタ幕走行時間情報および前記撮像部感度情報を受信する受信部と、前記シャッタ秒時情報および前記シャッタ幕走行時間情報から前記シャッタ全開時間を演算するシャッタ全開時間演算手段と、前記閃光発光部と、前記発光制御部と、前記有効発光量演算手段と、前記調光可能距離演算手段と、前記表示部と、を備えたことを特徴とするカメラシステム。
【請求項６】
必要発光量、絞り値、シャッタ全開時間および撮像部感度情報を転送する通信部を有するカメラに取り付けられ、前記カメラとともにカメラシステムを構成する閃光装置であって、
前記必要発光量、前記絞り値、前記シャッタ全開時間および前記撮像部感度情報を前記通信部から受信する受信部と、
閃光発光を行う閃光発光部と、
前記必要発光量の到達時または前記シャッタ全開時間に対応する発光許容時間のいずれかで、前記閃光発光部の発光停止を行う発光制御部と、
前記発光許容時間での発光停止による有効発光量の上限値を演算する有効発光量演算手段と、
前記シャッタ全開時間により変化する前記有効発光量の上限値、前記絞り値、前記撮像部感度情報に基づいて、前記閃光発光部での露光が適正に実行される調光可能距離を演算する調光可能距離演算手段と、
前記調光可能距離を表示する表示部と、を備えたことを特徴とする閃光装置。
【請求項７】
必要発光量、絞り値、シャッタ秒時情報、シャッタ幕走行時間情報および撮像部感度情報を転送する通信部を有するカメラに取り付けられ、前記カメラとともにカメラシステムを構成する閃光装置であって、
前記必要発光量、前記絞り値、シャッタ秒時情報、シャッタ幕走行時間情報および前記撮像部感度情報を前記通信部から受信する受信部と、
前記シャッタ秒時情報および前記シャッタ幕走行時間情報から前記シャッタ全開時間を演算するシャッタ全開時間演算手段と、
閃光発光を行う閃光発光部と、
前記必要発光量の到達時または前記シャッタ全開時間に対応する発光許容時間のいずれかで、前記閃光発光部の発光停止を行う発光制御部と、
前記発光許容時間での発光停止による有効発光量の上限値を演算する有効発光量演算手段と、
前記シャッタ全開時間により変化する前記有効発光量の上限値、前記絞り値、前記撮像部感度情報に基づいて、前記閃光発光部での露光が適正に実行される調光可能距離を演算する調光可能距離演算手段と、
前記調光可能距離を表示する表示部と、を備えたことを特徴とする閃光装置。
【発明の詳細な説明】
【技術分野】
【０００１】
本発明は、閃光発光部での露光が適正に実行される調光可能距離を事前に把握できるカメラシステムおよび閃光装置に関する。
【背景技術】
【０００２】
写真撮影用のカメラ等の閃光装置として、コンデンサに蓄積した電荷を用いてキセノン発光管を発光させる閃光装置が従来から使用されている。そして、カメラで閃光撮影を行う場合には、閃光装置により照明された被写体から反射光を調光用測光素子で受光し、測光値の時間積分量が予め設定された発光量のレベルに達したら閃光装置の発光を停止する制御が行われている。
【０００３】
特にフォーカルプレーンシャッタを備えた銀塩カメラでは、閃光装置が発光している途中に後幕の走行が開始されると、露光領域の場所ごとに露光量の差が生じて被写体像にムラができる。そのため、シャッタ全開時間（先幕の走行完了から後幕の走行開始までの時間）内に閃光装置の発光を完了させて、かつシンクロ同調秒時を短縮するためには上記のような発光制御が不可欠となる。
【０００４】
一方、電子シャッタを備えた電子カメラでは、電子シャッタを閉じた後に閃光装置の発光が継続している場合でも被写体像にムラは生じないが、ブルーミングやスミアによる画像劣化が生じるおそれがある。そのため、電子カメラにおいても電子シャッタが閉じる前に閃光装置の発光を完了させることが望ましい。例えば、特許文献１には、閃光発光を停止してから所定時間の遅延後にＣＣＤの電荷転送を行う電子カメラが開示されている。
【特許文献１】特開平１０−２４３２９９号公報
【発明の開示】
【発明が解決しようとする課題】
【０００５】
ここで、カメラの閃光撮影時に閃光装置の発光停止を行った場合は、閃光装置をフル発光させた場合と比べて発光量は小さなものとなる。したがって、発光停止時には被写体を適正な露出で撮影できる調光可能距離が大きく変動する。しかし、シャッタ秒時や絞り値等の撮影条件ごとに異なる調光可能距離の範囲を正確に把握することは非常に困難である。
【０００６】
本発明は上記従来技術の課題を解決するためにされたものであり、その目的は、カメラの閃光装置の発光を停止させる場合に、被写体を適正な露出で撮影できる調光可能距離を容易に把握できるカメラシステムおよび閃光装置を提供することである。
【課題を解決するための手段】
【０００７】
請求項１の発明は、撮影機構と、カメラ制御部と、閃光発光部と、発光制御部と、有効発光量演算手段と、調光可能距離演算手段と、表示部とを備えたことを特徴とするカメラシステムである。撮影機構は、撮像レンズ、絞り、シャッタ手段および撮像部を有する。カメラ制御部は、前記撮影機構の各部を制御し、必要発光量、前記絞りの絞り値、前記シャッタ手段のシャッタ全開時間および撮像部感度情報を取得する。閃光発光部は、前記撮影機構による撮影時に閃光発光を行う。発光制御部は、前記必要発光量の到達時または前記シャッタ全開時間に対応する発光許容時間のいずれかで、前記閃光発光部の発光停止を行う。有効発光量演算手段は、前記発光許容時間での発光停止による有効発光量の上限値を演算する。調光可能距離演算手段は、前記シャッタ全開時間により変化する前記有効発光量の上限値、前記絞り値、前記撮像部感度情報に基づいて、前記閃光発光部での露光が適正に実行される調光可能距離を演算する。表示部は前記調光可能距離を表示する。
【０００８】
請求項２の発明は、請求項１の発明において、前記撮像部が被写体像を光電変換する撮像素子であり、前記シャッタ手段が電子シャッターであることを特徴とする。
請求項３の発明は、請求項１の発明において、前記シャッタ手段がフォーカルプレーンシャッタであり、前記カメラ制御部は、前記シャッタ手段のシャッタ秒時情報およびシャッタ幕走行時間情報をさらに取得することを特徴とする。
【０００９】
請求項４の発明は、請求項２または請求項３の発明において、前記カメラシステムは、カメラと、前記カメラに取り付け可能な閃光装置とを有することを特徴とする。前記カメラは、前記撮影機構と、前記カメラ制御部と、前記必要発光量、前記絞り値、前記シャッタ全開時間および前記撮像部感度情報を前記閃光装置に転送する通信部とを備える。前記閃光装置は、前記通信部から発信された前記絞り値、前記シャッタ全開時間および前記撮像部感度情報を受信する受信部と、前記閃光発光部と、前記発光制御部と、前記有効発光量演算手段と、前記調光可能距離演算手段と、前記表示部とを備える。
【００１０】
請求項５の発明は、請求項３の発明において、前記カメラシステムは、カメラと、前記カメラに取り付け可能な閃光装置とを有することを特徴とする。前記カメラは、前記撮影機構と、前記カメラ制御部と、前記必要発光量、前記絞り値、前記シャッタ秒時情報、前記シャッタ幕走行時間情報および前記撮像部感度情報を前記閃光装置に転送する通信部とを備える。前記閃光装置は、前記通信部から発信された前記シャッタ秒時情報、前記シャッタ幕走行時間情報および前記撮像部感度情報を受信する受信部と、前記シャッタ秒時情報および前記シャッタ幕走行時間情報から前記シャッタ全開時間を演算するシャッタ全開時間演算手段と、前記閃光発光部と、前記発光制御部と、前記有効発光量演算手段と、前記調光可能距離演算手段と、前記表示部と、を備える。
【００１１】
請求項６の発明は、必要発光量、絞り値、シャッタ全開時間および撮像部感度情報を転送する通信部を有するカメラに取り付けられ、前記カメラとともにカメラシステムを構成する閃光装置であって、前記閃光装置は、受信部と、閃光発光を行う閃光発光部と、発光制御部と、有効発光量演算手段と、調光可能距離演算手段と、表示部とを備えることを特徴とする。受信部は、前記必要発光量、前記絞り値、前記シャッタ全開時間および前記撮像部感度情報を前記通信部から受信する。発光制御部は、前記必要発光量の到達時または前記シャッタ全開時間に対応する発光許容時間のいずれかで、前記閃光発光部の発光停止を行う。有効発光量演算手段は、前記発光許容時間での発光停止による有効発光量の上限値を演算する。調光可能距離演算手段は、前記シャッタ全開時間により変化する前記有効発光量の上限値、前記絞り値、前記撮像部感度情報に基づいて、前記閃光発光部での露光が適正に実行される調光可能距離を演算する。表示部は前記調光可能距離を表示する。
【００１２】
請求項７の発明は、必要発光量、絞り値、シャッタ秒時情報、シャッタ幕走行時間情報および撮像部感度情報を転送する通信部を有するカメラに取り付けられ、前記カメラとともにカメラシステムを構成する閃光装置であって、前記閃光装置は、受信部と、シャッタ全開時間演算手段と、閃光発光を行う閃光発光部と、発光制御部と、有効発光量演算手段と、調光可能距離演算手段と、表示部とを備えることを特徴とする。受信部は、前記必要発光量、前記絞り値、シャッタ秒時情報、シャッタ幕走行時間情報および前記撮像部感度情報を前記通信部から受信する。シャッタ全開時間演算手段は、前記シャッタ秒時情報および前記シャッタ幕走行時間情報から前記シャッタ全開時間を演算する。発光制御部は、前記必要発光量の到達時または前記シャッタ全開時間に対応する発光許容時間のいずれかで、前記閃光発光部の発光停止を行う。有効発光量演算手段は、前記発光許容時間での発光停止による有効発光量の上限値を演算する  前記シャッタ全開時間により変化する前記有効発光量の上限値、前記絞り値、前記撮像部感度情報に基づいて、前記閃光発光部での露光が適正に実行される調光可能距離を演算する。表示部は前記調光可能距離を表示する。
【発明の効果】
【００１３】
本発明によれば、発光停止制御が可能な閃光装置を備えたカメラシステムにおいて、シャッタ秒時等に応じて変更される調光可能距離が表示部に表示されるので、適正な露出を得ることができる調光可能距離を容易に把握できる。
【発明を実施するための最良の形態】
【００１４】
以下、図面に基づいて本発明の実施の形態を詳細に説明する。
（第１実施形態の構成）
図１は、本発明の第１実施形態のカメラシステムの概要図である（請求項１、３、４のカメラシステムと、請求項６の閃光装置に対応する）。第１実施形態のカメラシステム１は、一眼レフ式の銀塩カメラであるカメラ本体２と、カメラ本体２に取り付けられた閃光装置３とから構成されている。
【００１５】
カメラ本体２は、撮影機構と、分割測光部４と、調光用測光部５と、カメラ本体２の各部を演算制御するボディマイコン６と、閃光装置３と信号接続される通信部７とを有している。
カメラ本体２の撮影機構は、撮影レンズ系８と、絞り機構９と、フォーカルプレーンシャッタ１０と、フイルム１１と、クイックリターンミラー１２と、拡散スクリーン１３と、コンデンサレンズ１４と、ペンタプリズム１５と、接眼レンズ１６と、測光用プリズム１７と、測光用レンズ１８とから構成されている。
【００１６】
撮影レンズ系８は複数のレンズを組み合わせて構成され、図示しない駆動機構によってレンズの相対間隔の調整を行う。また、絞り機構９は、複数枚の絞り羽根の位置をカムの回転により変化させて、絞り径を可変する。
クイックリターンミラー１２は、フォーカルプレーンシャッター１０およびフイルム１１の前方に傾斜配置され、レリーズ時には跳ね上げられて撮影光路から待避するようになっている。通常時には、撮影レンズ系８を通過した光束は、クイックリターンミラー１２によって上方に反射され、拡散スクリーン１３上に一旦結像する。その後に、コンデンサレンズ１４、ペンタプリズム１５、接眼レンズ１６を通って、撮影者の目に到達する。また、拡散スクリーン１３によって拡散された光束の一部は、コンデンサレンズ１４、ペンタプリズム１５、測光用プリズム１７、測光用レンズ１８を通って分割測光部４で再結像される。
【００１７】
分割測光部４は、ＣＣＤなどの受光素子を配置して構成されており、撮影画像を複数領域に分割して被写体の輝度値を測光する。分割測光部４の出力はボディマイコン６に接続されており、分割測光部４の測光値はボディマイコン６に出力される。また、調光用測光部５は、レリーズ時において撮影レンズ系８から入射してフイルム面で反射する被写体光を光電変換し、光電流をコンデンサに蓄積してフイルム１１の露光状況をモニタする。この調光用測光部５の出力はボディマイコン６に接続されている。
【００１８】
ボディマイコン６は、図示しないＲＯＭに格納されたシーケンスプログラムに従ってカメラ本体２の一連の動作を制御する。このボディマイコン６は、分割測光部４の取得した輝度値から公知の露出演算を実行し、シャッタ秒時、シャッタ全開時間および絞り値と、本発光の必要発光量とを演算する。
さらに、ボディマイコン６は通信部７を介して閃光装置３と撮影に必要な情報を交換する。ここで、カメラ本体２と閃光装置３との間で交換される情報は以下のようなものである。例えば、カメラ本体２側からはシャッタ全開時間、絞り値、フイルム１１のＩＳＯ感度（撮像部感度情報）、撮影距離、露光モード、レンズの焦点距離、必要発光量到達時の通知信号などであり、閃光装置３側からは調光モードなどである。
【００１９】
一方、閃光装置３は、各回路に電圧を供給する電源１９、電源スイッチ２０、コンデンサ２１、昇圧回路２２、キセノン発光管２３、発光制御回路２４、演算制御回路２５、測光回路２６、受信部２７、記憶部２８および表示部２９を備えている。
閃光装置３のコンデンサ２１は、発光のエネルギを蓄えるメインコンデンサである。昇圧回路２２は、演算制御回路２５の指示によって供給された電圧を昇圧してコンデンサ２１を充電する。発光制御回路２４はＩＧＢＴ等のスイッチング素子を内部に有し、コンデンサ２１の蓄積電荷をキセノン発光管２３に供給または停止して、キセノン発光管２３の発光を制御する。
【００２０】
演算制御回路２５はマイクロプロセッサなどで構成され、キセノン発光管２３の発光量を計測する測光回路２６と、カメラ本体２の通信部７と信号接続された受信部２７と、記憶部２８と、表示部２９とが接続されている。
また、演算制御回路２５には、信号ラインＢＬＫ、ＴＧ、ＳＴＰの一端が接続されている。信号ラインＢＬＫの他端は昇圧回路２２に接続されている。信号ラインＢＬＫでは、昇圧動作の開始を示す信号（例えば、ハイレベル「Ｈ」）および停止を示す信号（例えば、ローレベル「Ｌ」）が、演算制御回路２５から昇圧回路２２に出力される。信号ラインＴＧおよびＳＴＧの他端は発光制御回路２４に接続されている。信号ラインＴＧではキセノン発光管２３の発光開始を示す信号が、信号ラインＳＴＰではキセノン発光管２３の発光停止を示す信号が、それぞれ演算制御回路２５から発光制御回路２４に出力される。
【００２１】
さらに、演算制御回路２５は、有効発光量演算手段および調光可能距離演算手段として機能し、以下の演算および制御を実行する。
第１に、演算制御回路２５は、以下の２つの場合にキセノン発光管２３の発光を停止させる。具体的には、（１）閃光装置３の発光量がカメラ本体２から送信された必要発光量に到達した時点、または（２）シャッタ全開時間に対応する発光許容時間が経過した時点、のいずれかでキセノン発光管２３の発光停止が行われる。これは、（１）の場合で必要発光量到達後も閃光装置３の発光が継続すれば露出オーバーとなるからである。一方、（２）の場合には、閃光装置３が発光している途中で後幕の走行が開始するので、露光領域の場所ごとに露光量の差が生じて被写体像にムラができるからである。
【００２２】
ここで、第１実施形態において「発光許容時間」とは、シャッタ全開時間またはシャッタ全開時間と若干の遅延時間との合計時間を意味する。すなわち、本発明では、シャッタ全開時間で閃光装置３の発光を停止させる場合のみならず、光量不足が大きい場合に有効発光量を必要発光量に近づけるために、シャッタ全開時間経過後に若干の遅延時間をあけて閃光装置３の発光を停止する場合を含む趣旨である（図２参照）。なお、後者の場合は、シャッタ１０の後幕走行開始後も閃光装置３の発光が続くので厳密には微少な露光ムラが発生するが、本発明では微少な露光ムラを許容することで露光量を大きくして、より状態のよい写真を得ようとするものである。
【００２３】
第２に、演算制御回路３は、発光許容時間内で発光停止を行った場合の有効発光量の上限値を求める。ここで、有効発光量の上限値は発光許容時間経過時に発光停止した場合の発光量の値であり、シャッタ全開時間に応じて変動する。第１実施形態では、演算制御回路２５は、シャッタ全開時間に対応した有効発光量の上限値を記憶部２８から取得する。また、有効発光量の下限値は発光開始直後に発光停止した場合の発光量の値である。この下限値は閃光装置３の性能から定まる固有値であって、シャッタ全開時間に左右されない。なお、この有効発光量の下限値は演算制御回路２５に記録されている。
【００２４】
第３に、演算制御回路２５は、カメラ本体２から取得した絞り値およびフイルム１１のＩＳＯ感度（撮像部感度情報）と、上記の有効発光量をガイドナンバーとして表した有効発光ガイドナンバーの上限値および下限値とから、下式（１）により調光可能距離の上限値および下限値を演算する。調光可能距離の上限および下限は表示部に出力される。
【００２５】
【数１】
2005148227.tif 000003
記憶部２８はデータ格納部とデータ読み出し部とから構成されている。記憶部２８のデータ格納部には、シャッタ全開時間と、シャッタ全開時間に対応する発光許容時間での有効発光量（有効発光量の上限値）との対応関係が格納されている。一方、記憶部２８のデータ読み出し部は、入力されたシャッタ全開時間に対応する有効発光量の上限値のデータをデータ格納部から読み出して、演算制御回路２５に出力する。
【００２６】
表示部２９は、図３に示すように、演算制御回路２５から出力された調光可能距離の上限および下限、撮像部感度情報、絞り値などの情報を表示する。
（第１実施形態の動作）
第１実施形態のカメラシステム１は上記のように構成され、以下、その動作について、図４の流れ図を参照しつつ説明する。
【００２７】
ステップＳ１：まず、ユーザーは、カメラ本体２に閃光装置３を取り付けた後、閃光装置３の電源スイッチ２１を投入して閃光装置３を使用可能な状態とする。
ステップＳ２：ユーザーは、レリーズボタンの半押しなどの所定の入力をカメラ本体２に行う。そして、カメラ本体２のボディマイコン６は分割測光部４から被写体の輝度情報を取り込む。そして、ボディマイコン６は輝度情報に基づいて露出演算を実行し、撮影時の露出条件（絞り値、シャッタ秒時およびシャッタ全開時間）を決定する。
【００２８】
ステップＳ３：ボディマイコン６は、絞り値、シャッタ全開時間および撮像部感度情報を閃光装置３の演算制御回路２５に送信する。
ステップＳ４：演算制御回路２５は、取得したシャッタ全開時間を記憶部２８に出力する。記憶部２８は、入力されたシャッタ全開時間に対応する有効発光量の上限値のデータを読み出して、演算制御回路２５に出力する。
【００２９】
ステップＳ５：演算制御回路２５は、取得した有効発光量の上限値と、絞り値および撮像部感度情報とから、調光可能距離の上限値を演算する。同時に演算制御回路２５は、有効発光量の下限値を読み出して、有効発光量の下限値と、絞り値および撮像部感度情報とから、調光可能距離の下限値を演算する。
ステップＳ６：演算制御回路２５は、調光可能距離の上限値および下限値と、撮像部感度情報と、絞り値とを表示部２９に出力し、表示部２９に表示する。
【００３０】
ステップＳ７：ユーザーは、表示部２９の調光可能距離の上限値および下限値の表示を確認して、撮影を開始するか否かを判断する。撮影を開始する場合（ＹＥＳ側）には、ステップＳ８の撮影動作に移行する。撮影を開始しない場合（ＮＯ側）には、ステップＳ２に戻って、シャッタ秒時や絞り値などの再設定を行う。
ステップＳ８：ユーザーはレリーズボタンを押して撮影を開始する。カメラ本体２のボディマイコン６は、クイックリターンミラー１２を跳ね上げて撮影光路から待避させる。そして、フォーカルプレーンシャッタ１０の先幕を走行させ、フイルム１１に被写体像の露光を開始する。一方、閃光装置３は、シャッタ全開時に同期して信号ラインＴＧを「Ｈ」にして、キセノン発光管２３の発光を開始する。また、演算制御回路２５は、キセノン発光管２３の発光開始から発光許容時間のカウントを開始する。なお、閃光装置３の発光はカメラ本体２の調光用測光部５でモニタされており、必要発光量に到達した時点で必要発光量到達時の通知信号がボディマイコン６から演算制御回路２５に出力される。
【００３１】
ステップＳ９：演算制御回路２５は、ボディマイコン６から必要発光量到達時の通知信号が入力されたか否かを判断する。通知信号が入力がある場合（ＹＥＳ側）には、ステップＳ１０に移行する。通知信号の入力がない場合（ＮＯ側）には、ステップＳ１１に移行する。
ステップＳ１０：演算制御回路２５は、必要発光量到達時の通知信号の入力によって、信号ラインＳＴＰを「Ｈ」にして、キセノン発光管２３の発光を発光許容時間内で停止させる。この場合には、キセノン発光管２３の発光は適正露光を実現できる必要発光量での発光となる。その後、カメラ本体２のボディマイコン６が所定のタイミングでシャッタ後幕を走行させてフイルム１１の露光を終了する。
【００３２】
ステップＳ１１：演算制御回路２５は、発光許容時間が経過したか否かを判断する。発光許容時間を経過した場合（ＹＥＳ側）には、ステップＳ１２に移行する。発光許容時間が経過していない場合にはステップＳ９に戻る。
ステップＳ１２：演算制御回路２５は、発光許容時間の経過時に信号ラインＳＴＰを「Ｈ」にして、キセノン発光管２３の発光を発光許容時間経過時で停止させる。この場合には、キセノン発光管２３の発光は有効発光量の上限値での発光となる（図２参照）。そして、キセノン発光管２３の発光停止と前後して、カメラ本体２のボディマイコン６が所定のタイミングでシャッタ後幕を走行させてフイルム１１の露光を終了する。
【００３３】
ステップＳ１３：ボディマイコン６は、フイルム１１の露光終了後に撮影光路にクイックリターンミラー１２を戻して、フイルム１１を１駒分巻き上げて、次回撮影の待機状態となる。以上で１連の撮影動作が終了する。
（第１実施形態の効果）
第１実施形態のカメラシステムでは、シャッタ全開時間等に応じて変更される調光可能距離が表示部に表示される。従って、ユーザーは、あるシャッタ秒時や絞りの条件で適正な露光が実現できるかを容易に把握でき、状態のよい写真を得ることができる。
【００３４】
（第２実施形態の構成）
図５は第２実施形態のカメラシステム１ａの概要図である（請求項１、２、４のカメラシステムと、請求項６の閃光装置に対応する）。なお、第２実施形態において、第１実施形態と同一の構成には同一符号を付して説明を省略する。
第２実施形態のカメラシステム１ａは、一眼レフ式の電子カメラであるカメラ本体２ａと、カメラ本体２ａに取り付けられた閃光装置３ａとから構成されている。第２実施形態のカメラシステム１ａでは、撮影時の本発光に先立ってモニタ発光を行うことで必要発光量の情報を取得する。
【００３５】
カメラ本体２ａは、撮像部として撮像素子３０を備えている。撮影レンズ系８と相対する撮像素子３０の受光面には、受光素子が２次元配列されており、受光面に投影された被写体像が各受光素子で光電変換されて画像信号が生成される。この撮像素子３０の出力は、Ａ／Ｄ変換回路を介して画像処理回路に出力され、画像処理回路で画像データが生成される（Ａ／Ｄ変換回路および画像処理回路の図示は省略する）。
【００３６】
また、撮像素子３０は、各受光素子の電荷蓄積時間の制御による電子シャッタの機能を有している。この撮像素子３０の電荷蓄積時間の制御および撮像部感度情報の取得はボディマイコン６が行う。なお、電子シャッタの場合、「シャッタ秒時」が第１実施形態におけるシャッタ全開時間に対応する。
ここで、電子シャッタの場合には、電子シャッタを閉じた後に閃光装置３の発光が継続している場合でも被写体像にムラは生じない点で、第１実施形態の場合と相違する。しかし、上記の場合には、ブルーミングやスミアによる画像劣化が生じるおそれがある。そのため、第２実施形態においても、閃光装置３の演算制御回路２５は、（１）閃光装置３の発光量がカメラ本体２ａから送信された必要発光量に到達した時点、または（２）シャッタ秒時に対応する発光許容時間が経過した時点、のいずれかで発光停止を行う。
【００３７】
なお、図６に示すように、第２実施形態では、「発光許容時間」はシャッタ秒時（シャッタ全開時間）以下に設定するのが好ましい。電子シャッタの場合には、シャッタ秒時経過後に閃光装置の発光を継続しても露光量の増大に寄与することはなく、むしろブルーミングやスミアが生じるおそれが高まるからである。もちろん、「発光許容時間」はシャッタ秒時であってもよい。
【００３８】
（第２実施形態の動作）
第２実施形態のカメラシステム１ａは上記のように構成され、以下、その動作について、図７の流れ図を参照しつつ説明する。
ステップＳ２１：まず、ユーザーは、カメラ本体２ａに閃光装置を取り付けた後、閃光装置３の電源スイッチ２０を投入して閃光装置３ａを使用可能な状態とする。
【００３９】
ステップＳ２２：ユーザーは、レリーズボタンの半押しなどの所定の入力をカメラ本体２ａに行う。そして、カメラ本体２ａのボディマイコン６は分割測光部４から被写体の輝度情報を取り込む。そして、ボディマイコン６は輝度情報に基づいて露出演算を実行し、撮影時の露出条件（絞り値、シャッタ秒時など）を決定する。
ステップＳ２３：ボディマイコン６は、絞り値、シャッタ秒時および撮像部感度情報を閃光装置３ａの演算制御回路２５に送信する。
【００４０】
ステップＳ２４：演算制御回路２５は、取得したシャッタ全開時間を記憶部２８に出力する。記憶部２８は、入力されたシャッタ全開時間に対応する有効発光量の上限値のデータを読み出して、演算制御回路２５に出力する。
ステップＳ２５：演算制御回路２５は、取得した有効発光量の上限値と、絞り値および撮像部感度情報とから、調光可能距離の上限値を演算する。同時に演算制御回路２５は、有効発光量の下限値を読み出して、有効発光量の下限値と、絞り値および撮像部感度情報とから、調光可能距離の下限値を演算する。
【００４１】
ステップＳ２６：演算制御回路２５は、調光可能距離の上限値および下限値と、撮像部感度情報と、絞り値とを表示部２９に出力し、表示部２９に表示する。
ステップＳ２７：ユーザーは、表示部２９の調光可能距離の上限値および下限値の表示を確認して、撮影を開始するか否かを判断する。撮影を開始する場合（ＹＥＳ側）には、ステップＳ２８の撮影動作に移行する。撮影を開始しない場合（ＮＯ側）には、ステップＳ２２に戻って、シャッタ秒時や絞り値などの再設定を行う。
【００４２】
ステップＳ２８：ユーザーはレリーズボタンを押して撮影を開始する。シャッターレリーズスイッチが押されると、ボディマイコン６は、閃光装置３ａの演算制御回路にモニタ発光を指示する。なお、ボディマイコン６はモニタ発光に先だってクイックリターンミラー１２を跳ね上げて撮影光路から待避させる。そして、演算制御回路２５は、モニタ発光の指示を受信すると、信号ラインＴＧを「Ｈ」にしてキセノン発光管２３を所定の発光強度で単発発光させてモニタ発光を行う。なお、このモニタ発光は複数回行われることもある。
【００４３】
ステップＳ２９：閃光装置３ａの測光回路２６はキセノン発光管２３の発光量を測定し、測定結果を演算制御回路２５に通知する。演算制御回路２５は信号ラインＳＴＰを「Ｈ」にしてキセノン発光管２３の発光を終了させる。また、演算制御回路２５は、カメラ本体２ａのボディマイコン６にモニタ発光の終了およびモニタ発光のガイドナンバーを通知する。
【００４４】
ステップＳ３０：一方、モニタ発光時において、カメラ本体２ａの調光用測光部５は、撮影レンズ系８を通過してフォーカルプレーンシャッタ１０の幕面で反射された被写体の反射光量を計測し、被写体輝度を計測する。ボディマイコン６は、モニタ発光の終了通知を受けると、調光用測光部５から被写体輝度を取得する。ボディマイコン６は、撮影距離、適正露出値および撮像部の感度を考慮し、公知の演算方法で本発光の必要発光量を演算する。そして、ボディマイコン６は、閃光装置３ａの演算制御回路２５に本発光の必要発光量を通知する。
【００４５】
ステップＳ３１：ボディマイコン６は、フォーカルプレーンシャッタ１０の先幕を走行させて、撮像素子３０を露出させる。そして、ボディマイコン６は、撮像素子３０に電荷蓄積を開始させて電子シャッタを「開」の状態にする。
ステップＳ３２：閃光装置３ａの演算制御回路２５は、本発光の必要発光量を実現できる発光時間が発光許容時間以下か否かを判定する。発光許容時間以下の場合（ＹＥＳ側）には、ステップＳ３３に移行する。発光許容時間より長い場合（ＮＯ側）には、ステップＳ３４に移行する。
【００４６】
ステップＳ３３：演算制御回路２５は、電子シャッタの開動作と同期して信号ラインＴＧを「Ｈ」にして、キセノン発光管２３を発光させる。演算制御回路２５は、必要発光量の発光時間の経過時に信号ラインＳＴＰを「Ｈ」にして、キセノン発光管２３の発光を停止させる。そして、シャッタ秒時の経過後に、カメラ本体２ａのボディマイコン６は、撮像素子３０の電荷蓄積を終了して電子シャッタを「閉」の状態にする。
【００４７】
ステップＳ３４：演算制御回路２５は、電子シャッタの開動作と同期して信号ラインＴＧを「Ｈ」にして、キセノン発光管２３を発光させる。演算制御回路２５は、発光許容時間の経過時に信号ラインＳＴＰを「Ｈ」にして、キセノン発光管２３の発光を停止させる。この場合には、キセノン発光管２３の発光は有効発光量の上限値での発光となる。そして、シャッタ秒時の経過後に、カメラ本体２ａのボディマイコン６は、撮像素子３０の電荷蓄積を終了して電子シャッタを「閉」の状態にする。
【００４８】
ステップＳ３５：ボディマイコン６は、撮影光路にクイックリターンミラー１２を戻し、フォーカルプレーンシャッタ１０の後幕を走行させて、次回撮影の待機状態となる。以上で１連の撮影動作が終了する。
（第２実施形態の効果）
第２実施形態のカメラシステムにおいても、第１実施形態と同様にシャッタ全開時間等に応じて変更される調光可能距離が表示部に表示される。従って、ユーザーは、あるシャッタ秒時や絞りの条件で適正な露光が実現できるかを容易に把握でき、状態のよい写真を得ることができる。
【００４９】
（第３実施形態）
図８は、本発明の第３実施形態のカメラシステムの動作を示す流れ図である（請求項１、３、５のカメラシステムと、請求項７の閃光装置に対応する）。第３実施形態は、第１実施形態の変形例であって、演算制御回路２５がシャッタ全開時間演算手段として機能する以外は、第１実施形態と同様であるので、他の構成およびその効果の説明は省略する。
【００５０】
すなわち、第３実施形態では、カメラ本体２が、シャッタ秒時およびシャッタ幕走行時間情報を閃光装置３ｂに出力し、閃光装置３の演算制御回路２５がシャッタ秒時およびシャッタ幕走行時間情報からシャッタ全開時間を演算する。シャッタ全開時間の演算は、シャッタ秒時からシャッタ幕走行時間を減じて算出される。
第３実施形態のカメラシステムの動作は、ステップＳ４１およびＳ４２が第１実施形態のステップＳ１およびＳ２に対応し、ステップＳ４３およびＳ４４が相違する。
【００５１】
ここで、ステップＳ４３では、ボディマイコン６は、絞り値、シャッタ秒時、シャッタ幕走行時間および撮像部感度情報を閃光装置３の演算制御回路２５に送信する。ステップＳ４４では、演算制御回路２５は、入力されたシャッタ秒時からシャッタ幕走行時間を減算してシャッタ全開時間を演算する。なお、以後のステップＳ４５からＳ５４は、第１実施形態のステップＳ４からＳ１３に対応する。
【００５２】
（実施形態の補足事項）
以上、本発明を上記の実施形態によって説明してきたが、本発明の技術的範囲は上記実施形態に限定されるものではない。例えば、第１実施形態から第３実施形態では、カメラ本体に閃光装置を外付けするカメラシステムの例を説明したが、カメラ本体に閃光装置が内蔵されたカメラシステムであってもよい。また、撮影レンズ系および絞りは、カメラ本体から独立して交換可能であってもよい。さらに、第１実施形態または第３実施形態のカメラシステムにおいて、第２実施形態のようにモニタ発光で必要発光量を取得するようにしてもよい。
【産業上の利用可能性】
【００５３】
本発明は発光停止制御が可能な閃光装置を備えたカメラシステムにおいて、シャッタ秒時等に応じて変更される調光可能距離を把握する場合に好適である。
【図面の簡単な説明】
【００５４】
【図１】第１実施形態のカメラシステムの概要図である。
【図２】第１実施形態の発光許容時間での発行停止を示す図である。
【図３】表示部の表示画面を示す図である。
【図４】第１実施形態のカメラシステムの動作を示す流れ図である。
【図５】第２実施形態のカメラシステムの概要図である。
【図６】第２実施形態の発光許容時間での発光停止を示す図である。
【図７】第２実施形態のカメラシステムの動作を示す流れ図である。
【図８】第３実施形態のカメラシステムの動作を示す流れ図である。
【符号の説明】
【００５５】
１、１ａ  カメラシステム
２、２ａ  カメラ本体
３、３ａ  閃光装置
４  分割測光部
５  調光用測光部
６  ボディマイコン
７  通信部
８  撮影レンズ系
９  絞り機構
１０  フォーカルプレーンシャッタ
１１  フイルム
１２  クイックリターンミラー
１３  拡散スクリーン
１４  コンデンサレンズ
１５  ペンタプリズム
１６  接眼レンズ
１７  測光用プリズム
１８  測光用レンズ
１９  電源
２０  電源スイッチ
２１  コンデンサ
２２  昇圧回路
２３  キセノン発光管
２４  発光制御回路
２５  演算制御回路
２６  測光回路
２７  受信部
２８  記憶部
２９  表示部
３０  撮像素子
【図１】
2005148227.tif 000004
【図２】
2005148227.tif 000005
【図３】
2005148227.tif 000006
【図４】
2005148227.tif 000007
【図５】
2005148227.tif 000008
【図６】
2005148227.tif 000009
【図７】
2005148227.tif 000010
【図８】
2005148227.tif 000011